(57)【要約】【課題】行程の長い乗客コンベアを監視対象とする場合であっても、比較的簡素な構成で乗客コンベアの稼動音を効率よく集音し、異音発生を伴う乗客コンベアの異常を遠隔地において適切に監視できるようにする。【解決手段】無端状に連結された多数のステップ１の少なくとも１つに移動集音装置１０を設置し、この移動集音装置１０がステップ１と共に循環移動しながらエスカレータ稼動音を集音する。この移動集音装置１０で集音されたエスカレータ稼動音は、無線信号として制御装置２０に送信され、制御装置２０において音声データに変換された後、通信回線４０経由で遠隔地の監視センタに設置された遠隔監視装置３０に送信される。遠隔監視装置３０では、この音声データに基づいた処理が行われ、エスカレータの稼動状態が監視される。【選択図】図１
2008195481.tif 000002
【特許請求の範囲】
【請求項１】
無端状に連結された多数のステップをガイドレールに沿って循環移動させてステップに搭乗した乗客を搬送する乗客コンベアの監視システムであって、
前記多数のステップのうちの少なくとも１つに設置され、当該ステップと共に循環移動しながら乗客コンベア稼動音を集音する移動集音装置と、
前記ステップの外部に設置され、前記移動集音装置で集音された乗客コンベア稼動音を音声データに変換して通信回線経由で送信する機能を有する制御装置と、
監視対象の乗客コンベアから離れた遠隔地に設置され、前記制御装置から通信回線経由で送信された乗客コンベア稼動音の音声データを受信して、当該音声データに基づく処理を行う遠隔監視装置とを備えること
を特徴とする乗客コンベア監視システム。
【請求項２】
前記移動集音装置が設置されたステップの位置を検出して当該ステップの位置を示す位置信号を前記制御装置に供給する位置検出装置を更に備えること
を特徴とする請求項１に記載の乗客コンベア監視システム。
【請求項３】
前記位置検出装置は、前記移動集音装置が設置されたステップが移動経路中における所定の基準位置を通過するタイミングで前記位置信号を出力すること
を特徴とする請求項２に記載の乗客コンベア監視システム。
【請求項４】
前記制御装置に接続され、前記位置信号に基づいて前記移動集音装置が設置されたステップの位置を視覚的に把握できるように報知する視覚報知装置を更に備えること
を特徴とする請求項２に記載の乗客コンベア監視システム。
【請求項５】
前記制御装置に接続され、前記位置信号に基づいて前記移動集音装置が設置されたステップの位置を音声により把握できるように報知する聴覚報知装置を更に備えること
を特徴とする請求項２に記載の乗客コンベア監視システム。
【請求項６】
乗客コンベアのトラス内に固定された状態で設置され、当該設置位置にて乗客コンベア稼動音を集音する固定集音装置を更に備えること
を特徴とする請求項１に記載の乗客コンベア監視システム。
【請求項７】
前記制御装置は、前記移動集音装置で集音された乗客コンベア稼動音と前記固定集音装置で集音された乗客コンベア稼動音の何れか一方を選択して、選択した乗客コンベア稼動音の音声データを通信回線経由で送信すること
を特徴とする請求項６に記載の乗客コンベア監視システム。
【請求項８】
前記移動集音装置は、前記制御装置からの送信要求に応じて起動して、乗客コンベア稼動音を集音して前記制御装置に送信すること
を特徴とする請求項１に記載の乗客コンベア監視システム。
【請求項９】
監視対象の乗客コンベアの運転方向及び運転速度を検出して、当該乗客コンベアの運転方向及び運転速度を示す状態検出信号を前記制御装置に供給する運転状態検出装置を更に備えること
を特徴とする請求項１に記載の乗客コンベア監視システム。
【請求項１０】
前記移動集音装置は、音を音声信号に変換して出力する集音部と、集音部が出力した音声信号を無線信号に変換して発信する無線送信部と、前記集音部と無線送信部とに電源を供給する電源供給部とを有し、
前記制御装置は、前記移動集音装置の無線送信部から発信された無線信号を受信する無線受信部と、無線受信部が受信した無線信号を音声データに変換する信号変換部と、前記通信回線に接続して前記信号変換部で変換された音声データを送信するデータ送信部とを有し、
前記遠隔監視装置は、前記通信回線に接続して前記制御装置のデータ送信部から送信された音声データを受信するデータ受信部と、データ受信部で受信した音声データを処理するデータ処理部とを有すること
を特徴とする請求項１に記載の乗客コンベア監視システム。
【発明の詳細な説明】
【技術分野】
【０００１】
本発明は、エスカレータや動く歩道などの乗客コンベアを監視する乗客コンベア監視システムに関する。
【背景技術】
【０００２】
エスカレータや動く歩道などの乗客コンベアは、チェーンにより無端状に連結された多数のステップを、トラス内部に配設されたガイドレールに沿ってモータ駆動により循環移動させることで、ステップに搭乗した乗客を一方の乗降口から他方の乗降口へと搬送する構造である。このような構造の乗客コンベアでは、長期に亘る稼動による用品の磨耗や据え付け調整状態の経年劣化、或いは異物の混入や乗客によるいたずらなどに起因して、例えば可動部分のこすれや乗り上げなどといった異常が発生することがあり、このような異常は、音として現われることが多々ある。
【０００３】
例えば、モータの回転力をチェーンに伝達してステップを駆動するための駆動スプロケットの軸や従動スプロケットの軸、各ステップに取り付けられているローラ部分には、通常、機構的に寿命のあるベアリングを使用しているが、これらのベアリングに破損が生じれば異音が発生する。また、各ステップに設けられているコロに磨耗が生じれば異音が発生する。また、ステップの移動をガイドするガイドレールに経年劣化によるボルトの弛みが生じたり、異物が挟まったりした場合には、ステップが通過するたびに異音が発生する。また、ステップの踏面外周に装着されたデマケーションコムの取り付け状態が不良でステップ両側のスカートガードパネルなどと干渉すると異音が発生する。また、多数のステップを連結しているチェーンに経年劣化により伸びが生じると異音が発生する。その他、様々な要因により乗客コンベアに何らかの異常が発生していると、その異常は、乗客コンベア稼動時に異音として現われることになる。
【０００４】
乗客コンベアから異音が発生しているという客先からの連絡を受けて保守員が対応する場合、通常、保守員が現場に赴いて実際に乗客コンベアを稼動させながら異音を確認し、その異音がどの部分で発生しているかを特定して、異音の発生要因となっている部品の交換や調整作業などを行うようにしている。このため、乗客コンベアのサービスを停止させる時間が長くなり、利用者に多大な迷惑をかけてしまうことが多い。また、保守員が現場で異音の発生要因を特定する際にも、現場に赴いた保守員の熟練度によってその正確性や迅速性において差が生じることも多く、保守員の熟練度によってはさらに長時間のサービス停止を余儀なくされる場合もあった。
【０００５】
このような背景のもと、例えば特許文献１では、トラス内部に複数のマイクを配置し、これらのマイクで集音した乗客コンベア稼動音を音信号として記憶装置に記憶させ、記憶装置に記憶された音信号を電話回線経由で遠隔地にある監視室に送信して、遠隔地において乗客コンベア稼動音を確認できるようにすることが提案されている。この特許文献１にて開示される技術を利用すれば、遠隔地の監視室で異音を確認して対策を検討することができ、現場での作業性の向上を図ることができると考えられる。
【特許文献１】特開平１１−３３５０５６号公報
【発明の開示】
【発明が解決しようとする課題】
【０００６】
しかしながら、前記特許文献１にて開示される技術では、トラス内部に固定して配置されたマイクで乗客コンベア稼動音を集音するため、乗客コンベアの全行程において満遍なく稼動音を集音できるようにするには、複数のマイクをトラス内に分散して配置する必要があり、マイクの取り付け作業が非常に煩雑で作業に多大な時間を要するといった問題や、監視データとしての音声データがマイクの個数分になることによる処理負荷の増加、音声処理回路の大型化などを招くといった問題が懸念される。特に、行程の長い乗客コンベアを監視対象とする場合には以上のような問題が顕著になる。
【０００７】
本発明は、以上のような従来技術の問題点を解決すべく創案されたものであって、行程の長い乗客コンベアを監視対象とする場合であっても、比較的簡素な構成で乗客コンベアの稼動音を効率よく集音し、異音発生を伴う乗客コンベアの異常を遠隔地において適切に監視することが可能な乗客コンベア監視システムを提供することを目的としている。
【課題を解決するための手段】
【０００８】
本発明に係る乗客コンベア監視システムは、ガイドレールに沿って循環移動する多数のステップのうちの少なくとも１つに設置され、当該ステップと共に循環移動しながら乗客コンベア稼動音を集音する移動集音装置と、ステップの外部の任意の位置に設置され、移動集音装置で集音された乗客コンベア稼動音を音声データとして通信回線経由で送信する機能を有する制御装置と、監視対象の乗客コンベアから離れた遠隔地に設置され、制御装置から通信回線経由で送信された音声データを受信して、当該音声データに基づく処理を行う遠隔監視装置とを備える。
【０００９】
この監視システムでは、乗客コンベアの稼動時に移動集音装置を起動させると、この移動集音装置が設置されたステップがガイドレールに沿って循環移動する間に、乗客コンベア稼動音が乗客コンベアのほぼ全行程に亘って移動集音装置により集音される。この移動集音装置で集音された乗客コンベア稼動音は制御装置に伝達され、制御装置から音声データとして通信回線経由で遠隔監視装置に送信される。そして、遠隔監視装置においてこの音声データに基づく処理が行われ、乗客コンベアの稼動状態が遠隔地にて監視される。
【発明の効果】
【００１０】
本発明の乗客コンベア監視システムによれば、簡素な構成で乗客コンベアの稼動音を効率よく集音して遠隔地の遠隔監視装置に送ることができ、異音発生を伴う乗客コンベアの異常を遠隔地において適切に監視することができる。
【発明を実施するための最良の形態】
【００１１】
以下、本発明の具体的な実施形態について、図面を参照しながら詳細に説明する。なお、以下の各実施形態では、多数のステップが上下階に亘って斜めに移動するエスカレータを監視対象とする場合を例示するが、勿論、本発明は、多数のステップが連続して水平方向に移動する動く歩道を監視対象とする場合にも有効に適用可能である。
【００１２】
（第１の実施形態）
図１は本発明を適用した監視システムの全体構成を概略的に示す模式図であり、図２は当該監視システムを構成する各装置の機能的な繋がりを示す機能ブロック図である。
【００１３】
監視対象となるエスカレータは、図１に示すように、例えば建物の上階と下階との間に傾斜して設置され、隙間なく連結された多数のステップ１を上階側の乗降口と下階側の乗降口との間で循環移動させることで、ステップ１上に搭乗した乗客を搬送するものである。多数のステップ１は、無端状のチェーン２によって連結されており、建物の床下に設置されたトラス３内に配置されている。トラス３の内部には、上階側及び下階側のそれぞれにスプロケット４ａ，４ｂが配置されており、これら上階側のスプロケット４ａと下階側のスプロケット４ｂとの間にチェーン２が巻き掛けられている。上階側のスプロケット４ａと下階側のスプロケット４ｂの何れか一方（図１に示す例では上階側のスプロケット４ａ）は、モータや減速機などを有する駆動装置５に連結されている。そして、駆動装置５の駆動によりこのスプロケット４ａ（またはスプロケット４ｂ）が回転し、スプロケット４ａ（またはスプロケット４ｂ）に噛み合うチェーン２に駆動力が伝達されることで、チェーン２によって連結された多数のステップ１が、図示しない案内レールにガイドされながら上階側の乗降口と下階側の乗降口との間を循環移動する構造となっている。
【００１４】
トラス３の上部には、ステップ１の左右両側面と対向するように一対のスカートガード６がステップ１の移動方向に沿って設置されており、このスカートガード６上にそれぞれ欄干７が立設されている。また、欄干７の周囲にはベルト状のハンドレール８が装着されている。ハンドレール８は、ステップ１上に搭乗している乗客が把持する手摺であり、例えば上述した駆動装置５の駆動力が伝達されることで、ステップ１の移動と同期して欄干７の周囲を周回する。
【００１５】
本実施形態のエスカレータ監視システムは、図１及び図２に示すように、監視対象のエスカレータにおける多数のステップ１のうちの少なくとも１つに設置された移動集音装置１０と、監視対象のエスカレータ設置現場におけるステップ１外部の任意の場所に設置された制御装置２０と、監視対象のエスカレータ設置現場から離れた遠隔地にある監視センタに設置された遠隔監視装置３０とを備えて構成される。
【００１６】
移動集音装置１０は、監視対象のエスカレータが稼動している際にステップ１と共に循環移動しながらエスカレータ稼動音を集音するものである。この移動集音装置１０は、例えば図２に示すように、音を音声信号に変換して出力する集音部１１と、集音部１１が出力した音声信号を無線信号に変換して発信する無線送信部１２と、集音部１１及び無線送信部１２に対して電源を供給する電源供給部１３とを有している。このような構成の移動集音装置１０では、エスカレータの稼動時に電源供給部１３から集音部１１と無線送信部１２とに電源が供給されると、エスカレータの稼動に伴い発生する稼動音が集音部１１によって音声信号に変換され、この音声信号が無線送信部１２によって無線信号に変換されて発信される。ここで、移動集音装置１０はステップ１と共に循環移動しているので、ステップ１の移動経路における各地点で集音されたエスカレータ稼動音が、無線信号として発信される。この移動集音装置１０から発信された無線信号は、制御装置２０によって受信される。なお、図１では移動集音装置１０が１つのステップ１のみに設置された様子を図示しているが、移動集音装置１０は２以上のステップ１に設置されていてもよい。
【００１７】
制御装置２０は、移動集音装置１０によって集音され無線信号として発信されたエスカレータ稼動音を受信して音声データに変換し、このエスカレータ稼動音の音声データを、例えば電話回線などの通信回線４０を介して監視センタの遠隔監視装置３０に送信するものである。この制御装置２０は、例えば図２に示すように、移動集音装置１０の無線送信部１２から発信された無線信号を受信する無線受信部２１と、無線受信部２１が受信した無線信号を音声データに変換する信号変換部２２と、信号変換部２２で変換されたエスカレータ稼動音の音声データを所定周期ごとに一時的に記憶するメモリ２３と、通信回線４０に接続して信号変換部２２で変換されてメモリ２３に一時的に格納されたエスカレータ稼動音の音声データを通信回線４０経由で送信するデータ送信部２４とを有している。このような構成の制御装置２０では、エスカレータの稼動時に移動集音装置１０で集音されたエスカレータ稼動音が移動集音装置１０から無線信号として発信されると、この無線信号が無線受信部２１により受信され、信号変換部２２により音声データに変換されてメモリ２３に格納される。そして、メモリ２３に格納されたエスカレータ稼動音の音声データが所定のデータ単位で読み出され、データ送信部２４から通信回線４０経由で遠隔地の監視センタに設置された遠隔監視装置３０へと送信される。
【００１８】
ここで、移動集音装置１０はステップ１と共に循環移動しながらステップ１の移動経路における各地点でエスカレータ稼動音を集音しているので、ステップ１が１周する間に移動集音装置１０によって順次集音されたエスカレータ稼動音を音声データとしてメモリ２３に逐次格納していくことで、エスカレータのほぼ全行程に亘る稼動音を音声データとしてメモリ２３に蓄積し、遠隔監視装置３０へと送信できる。なお、監視対象のエスカレータは通常は運転方向や運転速度を固定した状態で稼動されるので、ステップ１がある基準位置を通過してからこの基準位置に戻るまでの１周分のエスカレータ稼動音の音声データは、時間をもとに特定することができ、この１周分のエスカレータ稼動音の音声データを１データ単位としてメモリ２３から読み出して遠隔監視装置３０に送ることができる。また、稼動中に運転方向が変更されたり、インバータやモータの極数変換などで運転速度が変更されたりする場合には、エスカレータの運行制御を行う制御盤からの情報を取得する機能を制御装置２０に付加し、その情報をエスカレータ稼動音の音声データと合わせてメモリ２３に格納しておいて遠隔監視装置３０へと送信できるようにしておけば、遠隔監視装置３０においてエスカレータ稼動音の音声データを解析する際に、その情報を音声データ解析に有益な情報として利用することができる。
【００１９】
遠隔監視装置３０は、エスカレータ設置現場の制御装置２０から通信回線４０経由で送信されたエスカレータ稼動音の音声データを受信して、その音声データに基づいて監視対象のエスカレータの異常を検出するための処理を行うものである。この遠隔監視装置３０は、例えば図２に示すように、通信回線４０に接続して制御装置２０のデータ送信部２４から通信回線４０経由で送信されたエスカレータ稼動音の音声データを受信するデータ受信部３１と、データ受信部３１が受信したエスカレータ稼動音の音声データを解析して監視対象のエスカレータに発生した異常を検出するデータ処理部３２と、データ処理部３２でのデータ解析の結果を画像や音声などにより監視センタの監視員に報知する異常報知部３３とを有している。このような構成の遠隔監視装置３０では、制御装置２０から通信回線４０経由でエスカレータ稼動音の音声データが送信されると、この音声データがデータ受信部３１により受信され、データ処理部３２により音声データの解析が行われて、監視対象のエスカレータに異音の発生を伴う異常が生じているか否かが監視される。そして、データ処理部３２でエスカレータの異常が検出されると、その異常に関する各種の情報、具体的には、例えば異常が発生している旨及びその異常の種類、発生箇所、発生要因などの情報が、異常報知部３３により画像や音声などで監視センタの監視員に報知される。
【００２０】
なお、遠隔監視装置３０のデータ処理部３２には、エスカレータ稼動音の音声データを解析して異常を検出する機能に加え、或いは音声データ解析の機能に代えて、音声データを再生してエスカレータ稼動音を音声出力する機能を持たせるようにしてもよい。この場合には、監視センタの監視員は、遠隔地において監視対象のエスカレータの稼動音を実際に耳で聞きながら異音発生を伴う異常の確認を行うことができる。
【００２１】
以上のように、本実施形態のエスカレータ監視システムにおいては、監視対象のエスカレータのステップ１に設置された移動集音装置１０が、エスカレータの稼動時にステップ１と共に循環移動しながら、エスカレータのほぼ全行程に亘ってエスカレータ稼動音を集音する。そして、この移動集音装置１０で集音されたエスカレータ稼動音が、エスカレータ設置現場の制御装置２０で音声データに変換され、通信回線４０経由で遠隔地にある監視センタに設置された遠隔監視装置３０へと送られる。そして、遠隔監視装置３０においてこのエスカレータ稼動音の音声データに基づく処理が行われ、監視対象のエスカレータの稼動状態が監視される。したがって、この監視システムによれば、エスカレータ設置現場に保守員が出向かなくとも、遠隔地の監視センタにおいてエスカレータの異音発生を伴う異常の検出や、異常の種類、発生箇所、発生要因などの検証を事前に行うことができ、エスカレータに異常が発生した場合の保守作業の効率化、迅速化を実現して、サービス停止時間を大幅に短縮させることが可能となる。
【００２２】
また、この監視システムは、ステップ１と共に循環移動する移動集音装置１０によりエスカレータのほぼ全行程に亘る稼動音が集音される構成であるので、複数の集音装置（マイク）を分散して配置してこれら複数の集音装置でエスカレータ稼動音を集音するものに比べて構成を簡素化しながら、エスカレータ稼動音を効率よく集音することができ、複数の集音装置を分散配置してエスカレータ稼動音を集音するようにした場合に懸念される問題、すなわち、集音装置の取り付け作業が非常に煩雑で作業に多大な時間を要するといった問題や、監視データとしての音声データが集音装置の個数分になることによる処理負荷の増加、音声処理回路の大型化などを招くといった問題を有効に回避することができる。
【００２３】
（第２の実施形態）
次に、本発明の第２の実施形態について説明する。
【００２４】
図３は第２の実施形態のエスカレータ監視システムを構成する各装置の機能的な繋がりを示す機能ブロック図である。本実施形態のエスカレータ監視システムは、図３に示すように、上述した第１の実施形態の構成に位置検出装置５０を追加したものである。なお、図３中、第１の実施形態と共通の構成については同一の符号を付している。
【００２５】
位置検出装置５０は、移動集音装置１０が設置されたステップ１の位置を検出して当該ステップ１の位置を示す位置信号を制御装置２０に供給するものである。この位置検出装置５０は、具体的には、例えば移動集音装置１０が設置されたステップ１に当該ステップ１を識別するための金属板などを取り付けておき、ステップ１の移動経路中における所定の基準位置（例えば下階の水平部など）に設置した近接センサや光電センサなどで、金属板が取り付けられたステップ１の通過を検知し、当該ステップ１が基準位置を通過したタイミングで位置信号を出力する構成とされる。
【００２６】
本実施形態のエスカレータ監視システムでは、移動集音装置１０で集音されたエスカレータ稼動音を音声データに変換する制御装置２０に対して、位置検出装置５０から、移動集音装置１０が設置されたステップ１の位置を示す位置信号が供給される。したがって、制御装置２０は、エスカレータ稼動音の音声データをステップ１の位置と対応付けたかたちでメモリ２３に蓄積することが可能となる。
【００２７】
図４は制御装置２０のメモリ２３にエスカレータ稼動音の音声データを格納する方法の一例を表した図である。上述したように、移動集音装置１０が設置されたステップ１が基準位置を通過したタイミングで位置検出装置５０が位置信号を出力する構成の場合、移動集音装置１０が設置されたステップ１が基準位置を通過すると、位置検出装置５０から位置信号が出力されて制御装置２０に入力される。制御装置２０は、この位置信号の入力を受けて、図４中Ａで示すメモリ２３のアドレスにマークコードを書き込む。そして、次のアドレスから、移動集音装置１０で集音されたエスカレータ稼動音の音声データを逐次書き込んでいき、位置検出装置５０からの位置信号が再度入力されると、ステップ１の１周分の音声データの書き込みを終了する。その後、更に音声データの書き込みを継続する場合には、図４中Ｂで示すメモリ２３のアドレスにマークコードを書き込み、次のアドレスから同様にしてエスカレータ稼動音の音声データを逐次書き込んでいく。
【００２８】
以上のように、本実施形態のエスカレータ監視システムにおいては、位置検出装置５０から制御装置２０に対して位置信号が供給されることにより、制御装置２０がエスカレータ稼動音の音声データをステップ１の位置と対応付けたかたちでメモリ２３に蓄積することができるので、ステップ１が基準位置を通過してから基準位置に戻るまでの１周分の音声データを１データ単位として扱うことが容易となる。また、遠隔監視装置３０で音声データの解析を行う際にも、異常発生箇所の特定が極めて容易となる。
【００２９】
（第３の実施形態）
次に、本発明の第３の実施形態について説明する。
【００３０】
図５は第３の実施形態のエスカレータ監視システムを構成する各装置の機能的な繋がりを示す機能ブロック図である。本実施形態のエスカレータ監視システムは、図５に示すように、上述した第２の実施形態の構成に視覚報知装置６０を追加したものである。なお、図５中、第２の実施形態と共通の構成については同一の符号を付している。
【００３１】
視覚報知装置６０は、制御装置２０に接続されて使用され、位置検出装置５０から出力された位置信号に基づいて、移動集音装置１０が設置されたステップ１の位置を視覚的に把握できるように報知するものである。
【００３２】
移動集音装置１０により集音されたエスカレータ稼動音の音声データを遠隔監視装置３０で解析した結果、監視対象のエスカレータに異常が発見された場合、保守員がエスカレータ設置現場に赴いて復旧作業を行うが、このとき、移動集音装置１０が設置されたステップ１は外見上、他のステップ１と見分けることが難しく、このことが保守員による現場での作業性を悪化させる要因となることが懸念される。そこで、本実施形態では、視覚報知装置６０を制御装置２０に接続し、例えば保守員の操作入力などに応じて制御装置２０による制御のもとで視覚報知装置６０を動作させることによって、移動集音装置１０が設置されたステップ１の位置を視覚的に把握できるようにしている。
【００３３】
具体的には、例えば視覚報知装置６０がＬＥＤなどの発光素子を有する場合、移動集音装置１０が設置されたステップ１が基準位置を通過し、位置検出装置５０から位置信号が出力されたタイミングで視覚報知装置６０の発光素子を点灯させる。これにより、保守員は、基準位置を予め把握していれば、視覚報知装置６０の発光素子が点灯したときに基準位置を通過したステップ１が、移動集音装置１０が設置されたステップ１であることを確認できる。また、視覚報知装置６０が複数の発光素子を有する場合には、位置検出装置５０からの位置信号をもとに把握されるステップ１の位置に合わせて視覚報知装置６０の複数の発光素子を選択的に点灯させるようにすることで、移動集音装置１０が設置されたステップ１の位置をより効果的に保守員に認識させることができる。また、視覚報知装置６０が文字や画像を表示可能な表示器を有する場合には、位置検出装置５０から出力される位置信号をもとに把握されるステップ１の位置を、視覚報知装置６０の表示器に文字や画像などで表示することで保守員に認識させるようにしてもよい。
【００３４】
以上のように、本実施形態のエスカレータ監視システムにおいては、制御装置２０に接続された視覚報知装置６０の報知によって移動集音装置１０が設置されたステップ１の位置を保守員が容易に把握でき、外見上では見分けがつきにくい当該ステップ１の位置を確認する手間を省くことができるので、保守員による現場での作業性を向上させることができる。
【００３５】
（第４の実施形態）
次に、本発明の第４の実施形態について説明する。
【００３６】
図６は第４の実施形態のエスカレータ監視システムを構成する各装置の機能的な繋がりを示す機能ブロック図である。本実施形態のエスカレータ監視システムは、図６に示すように、上述した第３の実施形態における視覚報知装置６０に代えて、聴覚報知装置７０を設けたものである。なお、図６中、第３の実施形態と共通の構成については同一の符号を付している。
【００３７】
聴覚報知装置７０は、制御装置２０に接続されて使用され、位置検出装置５０から出力された位置信号に基づいて、移動集音装置１０が設置されたステップ１の位置を音声により把握できるように報知するものである。つまり、第３の実施形態では、視覚報知装置６０のＬＥＤなどの発光素子の点灯、或いは表示器への文字や画像の表示などによって、移動集音装置１０が設置されたステップ１の位置を現場の保守員に把握させるようにしていたが、本実施形態では、視覚報知装置６０に代えて聴覚報知装置７０を制御装置２０に接続し、例えば保守員の操作入力などに応じて制御装置２０による制御のもとで聴覚報知装置７０を動作させて音声を出力させることによって、移動集音装置１０が設置されたステップ１の位置を保守員に把握させるようにしている。
【００３８】
具体的には、移動集音装置１０が設置されたステップ１が基準位置を通過し、位置検出装置５０から位置信号が出力されたタイミングで聴覚報知装置７０から例えばビープ音などを出力させる。これにより、保守員は、基準位置を予め把握していれば、聴覚報知装置７０からビープ音が出力されたときに基準位置を通過したステップ１が、移動集音装置１０が設置されたステップ１であることを確認できる。また、位置検出装置５０からの位置信号をもとに把握されるステップ１の位置を、聴覚報知装置７０から例えば音声ガイダンスなどで報知するようにしてもよい。
【００３９】
以上のように、本実施形態のエスカレータ監視システムにおいては、制御装置２０に接続された聴覚報知装置７０の音声出力による報知によって移動集音装置１０が設置されたステップ１の位置を保守員が容易に把握でき、上述した第３の実施形態と同様、外見上では見分けがつきにくい当該ステップ１の位置を確認する手間を省くことができるので、保守員による現場での作業性を向上させることができる。
【００４０】
（第５の実施形態）
次に、本発明の第５の実施形態について説明する。
【００４１】
図７は第５の実施形態のエスカレータ監視システムを構成する各装置の機能的な繋がりを示す機能ブロック図である。本実施形態のエスカレータ監視システムは、図７に示すように、上述した第１の実施形態の構成に固定集音装置８０を追加し、制御装置２０にこの固定集音装置８０からの音声信号を受信する固定集音装置用受信部２５を追加したものである。なお、図７中、第１の実施形態と共通の構成については同一の符号を付している。
【００４２】
固定集音装置８０は、監視対象のエスカレータのトラス３内に固定した状態で設置され、当該設置位置にてエスカレータ稼動音を集音するものである。この固定集音装置８０は、トラス３内で特に異音発生を伴う異常が生じやすい箇所、例えば駆動装置５やこれに連結されたスプロケット４ａが配置された機械室の近傍、或いは逆側のスプロケット４ｂなどが配置された機械室の近傍等に位置して１つ又は複数個設置され、この設置位置に固定された状態でエスカレータ稼動音を集音して、その音声信号を有線又は無線にて制御装置２０に送信する。
【００４３】
制御装置２０の固定集音装置用受信部２５は、固定集音装置８０から有線又は無線にて送信されたエスカレータ稼動音の音声信号を受信するものである。この固定集音装置用受信部２５で受信されたエスカレータ稼動音の音声信号は、移動集音装置１０で集音されたエスカレータ稼動音と同様に、信号変換部２２にて音声データに変換されてメモリ２３に格納される。
【００４４】
制御装置２０は、移動集音装置１０で集音されたエスカレータ稼動音と固定集音装置８０で集音されたエスカレータ稼動音の双方を受信した場合、同時刻に集音された音声データ同士を互いに対応付けたかたちで、メモリ２３に格納する。具体的には、例えば図４に示したアドレスＡのマークコードで識別される音声データ１のメモリ領域にこれらのエスカレータ稼動音の音声データを書き込む場合、音声データ１のメモリ領域を移動集音装置１０用の領域と固定集音装置８０用の領域とに分け、それぞれのメモリ領域に、移動集音装置１０で集音されたエスカレータ稼動音の音声データと、固定集音装置８０で集音されたエスカレータ稼動音の音声データとを逐次書き込んでいく。このとき、同時刻の音声データが書き込まれるアドレス同士を予め関連付けておいて、音声データを読み出す際には同時刻の音声データを識別できるようにしておく。
【００４５】
以上のように、本実施形態のエスカレータ監視システムにおいては、移動集音装置１０のほかに固定集音装置８０によっても局所的なエスカレータ稼動音が集音され、これらのエスカレータ稼動音が音声データとして遠隔監視装置３０に送られるので、監視対象のエスカレータの稼動状態を遠隔地の監視センタでより詳細に監視することができる。
【００４６】
なお、以上の例では、制御装置２０が移動集音装置１０で集音されたエスカレータ稼動音の音声データと固定集音装置８０で集音されたエスカレータ稼動音との双方を遠隔監視装置３０に対して送信しているが、制御装置２０は、例えば現場の保守員の操作入力、或いは遠隔監視装置３０からの指令などに応じて、これら移動集音装置１０で集音されたエスカレータ稼動音の音声データと固定集音装置８０で集音されたエスカレータ稼動音との何れか一方を選択して、選択したエスカレータ稼動音の音声データを遠隔監視装置３０に送信するようにしてもよい。このように、制御装置２０が移動集音装置１０で集音されたエスカレータ稼動音の音声データと固定集音装置８０で集音されたエスカレータ稼動音の音声データとを選択的に遠隔監視装置３０に送るようにした場合は、データ量を削減して処理負荷を低減させながら、目的に応じて効率的な異常の検証を行うことが可能となる。
【００４７】
（第６の実施形態）
次に、本発明の第６の実施形態について説明する。
【００４８】
図８は第６の実施形態のエスカレータ監視システムを構成する各装置の機能的な繋がりを示す機能ブロック図である。本実施形態のエスカレータ監視システムは、図８に示すように、移動集音装置１０の無線送信部１２を双方向通信可能な無線送受信部１４に変更するとともに、制御装置２０の無線受信部２１を双方向通信可能な無線送受信部２６に変更して、制御装置２０から移動集音装置１０に対してエスカレータ稼動音の送信を要求する送信要求を無線にて送信できるようにし、移動集音装置１０が制御装置２０からの送信要求に応じて起動して、エスカレータ稼動音を集音して制御装置２０に返信するようにしたものである。なお、図８中、第１の実施形態と共通の構成については同一の符号を付している。
【００４９】
移動集音装置１０の電源供給部１３としてバッテリを使用している場合、バッテリには寿命の問題があり、移動集音装置１０を常時起動させてエスカレータ稼動音の集音や送信を継続的に行うようにしていると、バッテリの消耗が早くなって頻繁に交換を行う必要が生じ、短期間でのメンテナンス作業などが要求されて煩雑である。そこで、本実施形態では、制御装置２０から移動集音装置１０に対して送信要求があるまでは移動集音装置１０を待機状態とし、送信要求があったときに移動集音装置１０が起動して、エスカレータ稼動音を集音して制御装置２０に返信する構成としている。
【００５０】
具体的には、制御装置２０は、例えば現場の保守員の操作入力、或いは遠隔監視装置３０からの指令などに応じて、エスカレータ稼動音の送信を要求する送信要求を無線送受信部２６から無線信号として発信する。移動集音装置１０は、通常は無線送受信部１４での無線信号の受信のみが可能な待機状態とされており、無線送受信部１４が制御装置２０からの送信要求を受信したときに起動して、電源供給部１３から集音部１１及び無線送受信部１４の送信部に対しての電源供給が開始される。そして、電源供給部１３から集音部１１と無線送受信部１４の送信部とに電源が供給されると、エスカレータ稼動音が集音部１１によって音声信号に変換され、この音声信号が無線送信部１２により無線信号として発信され、制御装置２０の無線送受信部２６により受信される。この移動集音装置１０によるエスカレータ稼動音の集音及び送信は、例えば、予め定められた一定時間、或いは制御装置２０から移動集音装置１０に対してエスカレータ稼動音の送信を停止する旨の送信停止要求が送られるまで継続される。
【００５１】
以上のように、本実施形態のエスカレータ監視システムにおいては、移動集音装置１０が制御装置２０からの送信要求に応じて起動して、エスカレータ稼動音を集音して制御装置２０に返信するので、消費電力を低減させて省電力化を図ることができるとともに、移動集音装置１０の電源供給部１３としてバッテリを使用した場合にその消耗を極力低減させ、長寿命化を図ることができる。
【００５２】
（第７の実施形態）
次に、本発明の第７の実施形態について説明する。
【００５３】
図９は第７の実施形態のエスカレータ監視システムを構成する各装置の機能的な繋がりを示す機能ブロック図である。本実施形態のエスカレータ監視システムは、図９に示すように、上述した第１の実施形態の構成に運転状態検出装置９０を追加したものである。なお、図９中、第１の実施形態と共通の構成については同一の符号を付している。
【００５４】
第１の実施形態で説明したように、監視対象のエスカレータは稼動中に運転方向が変更されたり運転速度が変更されたりする場合もあり、このような場合には、移動集音装置１０で集音されたエスカレータ稼動音の音声データを遠隔監視装置３０にて詳細に解析できるようにするために、エスカレータの運転方向や運転速度などの情報を音声データと合わせて遠隔監視装置３０に送ることが望まれる。第１の実施形態では、これを実現するために、エスカレータの運行制御を行う制御盤からの情報を取得する機能を制御装置２０に付加するようにしたが、情報を授受するインターフェースがエスカレータによって異なることも考えられ、制御装置２０がエスカレータ制御盤からの情報を取得することが難しい場合もある。そこで、本実施形態では、監視対象のエスカレータの運転方向や運転速度を運転状態検出装置９０で直接検出して、運転状態検出装置９０から制御装置２０に対してエスカレータの運転方向や運転速度を示す状態検出信号が供給されるようにすることで、制御装置２０が、エスカレータの運転方向や運転速度などの情報を音声データと合わせて遠隔監視装置３０に送信できるようにしている。
【００５５】
運転状態検出装置９０としては、例えば、エスカレータの駆動装置５に取り付けられたエンコーダなどの回転センサが利用可能である。エスカレータの駆動装置５に取り付けられた回転センサは、ステップ１を駆動するモータの回転方向や回転速度、つまりエスカレータの運転方向や運転速度に応じたパルス信号を出力するので、この信号を状態検出信号として制御装置２０に入力するようにすれば、制御装置２０は、エスカレータの運転方向や運転速度などの情報を音声データと合わせて遠隔監視装置３０に送信することが可能となる。
【００５６】
以上のように、本実施形態のエスカレータ監視システムにおいては、監視対象のエスカレータの運転方向や運転速度が運転状態検出装置９０によって検出されて運転検出信号として制御装置２０に供給されるので、制御装置２０が、エスカレータの運転方向や運転速度などの情報を音声データと合わせて遠隔監視装置３０に送信することができ、遠隔監視装置３０においてエスカレータ稼動音の音声データを解析する際に、その情報を音声データ解析に有益な情報として利用することができる。
【００５７】
以上、本発明を適用したエスカレータ監視システムの具体例として第１乃至第７の実施形態を例示して具体的に説明したが、本発明の技術的範囲は、以上の各実施形態の説明で開示した技術事項に限定されるものではなく、以上の開示内容をもとに一般的な技術常識も鑑みて当然に導かれる変形例、応用例も含まれるものである。例えば、上述した各実施形態では、監視対象のエスカレータ設置現場に設けられる制御装置２０が、主な機能として、移動集音装置１０で集音されたエスカレータ稼動音を音声データに変換して通信回線４０経由で遠隔地の監視センタに設けられた遠隔監視装置３０に送信する機能を有することを説明したが、制御装置２０に対しては、このような機能に加えて、移動集音装置１０で集音されたエスカレータ稼動音の音声データをリアルタイムで再生する、或いは一時的にメモリ２３に格納した音声データを任意のタイミングで再生する機能を持たせるようにしてもよい。この場合は、コールバックに応じて現場に赴いた保守員が制御装置２０で音声データを再生することにより、移動集音装置１０で集音されたエスカレータ稼動音を現場において実際に耳で聞きながら異音発生を伴う異常の確認を行うことができる。
【００５８】
また、第３の実施形態や第４の実施形態では、保守員が現場で作業する際に移動集音装置１０が設置されたステップ１の位置を容易に把握できるようにするために、視覚報知装置６０や聴覚報知装置７０を設けて、移動集音装置１０が設置されたステップ１の位置をこれらの報知装置で報知する例を説明したが、このような報知装置を設ける代わりに、制御装置２０をエスカレータの制御盤と連動させて、移動集音装置１０が設置されたステップ１が所定の基準位置に到達したときにエスカレータの運転を停止させる機能を、制御装置２０に付加するようにしてもよい。
【図面の簡単な説明】
【００５９】
【図１】本発明を適用した監視システムの全体構成を概略的に示す模式図。
【図２】第１の実施形態のエスカレータ監視システムを構成する各装置の機能的な繋がりを示す機能ブロック図。
【図３】第２の実施形態のエスカレータ監視システムを構成する各装置の機能的な繋がりを示す機能ブロック図。
【図４】制御装置のメモリにエスカレータ稼動音の音声データを格納する方法の一例を表した図。
【図５】第３の実施形態のエスカレータ監視システムを構成する各装置の機能的な繋がりを示す機能ブロック図。
【図６】第４の実施形態のエスカレータ監視システムを構成する各装置の機能的な繋がりを示す機能ブロック図。
【図７】第５の実施形態のエスカレータ監視システムを構成する各装置の機能的な繋がりを示す機能ブロック図。
【図８】第６の実施形態のエスカレータ監視システムを構成する各装置の機能的な繋がりを示す機能ブロック図。
【図９】第７の実施形態のエスカレータ監視システムを構成する各装置の機能的な繋がりを示す機能ブロック図。
【符号の説明】
【００６０】
１  ステップ
１０  移動集音装置
１１  集音部
１２  無線送信部
１３  電源供給部
１４  無線送受信部
２０  制御装置
２１  無線受信部
２２  信号変換部
２３  メモリ
２４  データ送信部
２５  固定集音装置用受信部
２６  無線送受信部
３０  遠隔監視装置
３１  データ受信部
３２  データ処理部
３３  異常報知部
４０  通信回線
５０  位置検出装置
６０  視覚報知装置
７０  聴覚報知装置
８０  固定集音装置
９０  運転状態検出装置
【図１】
2008195481.tif 000003
【図２】
2008195481.tif 000004
【図３】
2008195481.tif 000005
【図４】
2008195481.tif 000006
【図５】
2008195481.tif 000007
【図６】
2008195481.tif 000008
【図７】
2008195481.tif 000009
【図８】
2008195481.tif 000010
【図９】
2008195481.tif 000011